(57)【要約】【課題】像保持体と現像剤保持体との間隔を長期に渡って維持すること。【解決手段】潜像を可視像に現像する現像剤保持体（１）に対向して配置され、表面に画像を保持して回転する像保持体（ＰＲｙ）であって、現像剤保持体（１）の軸方向の端部に支持され且つ現像剤保持体（１）と像保持体（ＰＲｙ）との間隔を予め設定された間隔に保持する間隔保持部材（２）が接触する被接触部（３）を有する像保持体（ＰＲｙ）と、被接触部（３）に接触して被接触部（３）を清掃する清掃部材（１１）と、を備えた像保持体ユニット。【選択図】図３
2016184046.tif 000002
【特許請求の範囲】
【請求項１】
潜像を可視像に現像する現像剤保持体に対向して配置され、表面に画像を保持して回転する像保持体であって、前記現像剤保持体の軸方向の端部に支持され且つ前記現像剤保持体と前記像保持体との間隔を予め設定された間隔に保持する間隔保持部材が接触する被接触部を有する前記像保持体と、
前記被接触部に接触して前記被接触部を清掃する清掃部材と、
を備えたことを特徴とする像保持体ユニット。
【請求項２】
前記像保持体に対向して配置されて、前記像保持体の表面を清掃する第２の清掃部材と、
前記清掃部材を支持し、前記像保持体から除去された清掃物を収容する清掃容器と、
前記清掃容器において前記像保持体の回転方向の上流側の部位に支持された前記清掃部材と、
を備えたことを特徴とする請求項１に記載の像保持体ユニット。
【請求項３】
前記清掃部材が前記被接触部に接触する部分が、前記像保持体の軸方向に対して内側に傾斜して形成されたことを特徴とする請求項１または２に記載の像保持体ユニット。
【請求項４】
像保持体を有する請求項１ないし３のいずれかに記載の像保持体ユニットと、
前記像保持体の表面に潜像を形成する潜像の形成装置と、
前記像保持体の表面の潜像を可視像に現像する現像装置と、
前記像保持体の表面の可視像を媒体に転写する転写装置と、
前記媒体の表面の可視像を定着させる定着装置と、
を備えたことを特徴とする画像形成装置。
【発明の詳細な説明】
【技術分野】
【０００１】
本発明は、像保持体ユニットおよび画像形成装置に関する。
【背景技術】
【０００２】
従来の複写機やプリンタ等の画像形成装置において、像保持体の清掃に関して、以下の特許文献１に記載の技術が従来公知である。
【０００３】
特許文献１としての特開２００１−３４０７９号公報には、クリーニングブレード（６ａ）が感光体（１）を清掃する領域に比べて、クリーニングブレード（１５ａ）が中間転写ベルト（７）を清掃する領域が狭いことに対応して、中間転写ベルト（７）の幅方向の両端に対応して、補助クリーニング手段（１７ａ）を配置する技術が記載されている。特許文献１に記載の技術では、感光体トナー筋と中間転写体トナー筋とを、中間転写ベルト（７）上で、補助クリーニング手段（１７ａ）により一括して回収している。
【先行技術文献】
【特許文献】
【０００４】
【特許文献１】特開２００１−３４０７９号公報（「００２２」〜「００２３」、図６）
【発明の概要】
【発明が解決しようとする課題】
【０００５】
本発明は、像保持体と現像剤保持体との間隔を長期に渡って維持することを技術的課題とする。
【課題を解決するための手段】
【０００６】
前記技術的課題を解決するために、請求項１に記載の発明の像保持体ユニットは、
潜像を可視像に現像する現像剤保持体に対向して配置され、表面に画像を保持して回転する像保持体であって、前記現像剤保持体の軸方向の端部に支持され且つ前記現像剤保持体と前記像保持体との間隔を予め設定された間隔に保持する間隔保持部材が接触する被接触部を有する前記像保持体と、
前記被接触部に接触して前記被接触部を清掃する清掃部材と、
を備えたことを特徴とする。
【０００７】
請求項２に記載の発明は、請求項１に記載の像保持体ユニットにおいて、
前記像保持体に対向して配置されて、前記像保持体の表面を清掃する第２の清掃部材と、
前記清掃部材を支持し、前記像保持体から除去された清掃物を収容する清掃容器と、
前記清掃容器において前記像保持体の回転方向の上流側の部位に支持された前記清掃部材と、
を備えたことを特徴とする。
【０００８】
請求項３に記載の発明は、請求項１または２に記載の像保持体ユニットにおいて、
前記清掃部材が前記被接触部に接触する部分が、前記像保持体の軸方向に対して内側に傾斜して形成されたことを特徴とする。
【０００９】
前記技術的課題を解決するために、請求項４に記載の発明の画像形成装置は、
像保持体を有する請求項１ないし３のいずれかに記載の像保持体ユニットと、
前記像保持体の表面に潜像を形成する潜像の形成装置と、
前記像保持体の表面の潜像を可視像に現像する現像装置と、
前記像保持体の表面の可視像を媒体に転写する転写装置と、
前記媒体の表面の可視像を定着させる定着装置と、
を備えたことを特徴とする。
【発明の効果】
【００１０】
請求項１，４に記載の発明によれば、被接触部を清掃する清掃部材を有しない場合に比べて、像保持体と現像剤保持体との間隔を長期に渡って維持することができる。
請求項２に記載の発明によれば、像保持体の回転方向の下流側の部位に清掃部材が支持されている場合に比べて、被接触部に現像剤が擦り付けられることを低減できる。
請求項３に記載の発明によれば、被接触部に接触する部分が軸方向の内側に傾斜していない場合に比べて、汚れを低減できる。
【図面の簡単な説明】
【００１１】
【図１】図１は実施例１の画像形成装置の説明図である。
【図２】図２は実施例１の画像形成装置の要部説明図である。
【図３】図３は実施例１の像保持体、現像装置および清掃装置の要部説明図である。
【図４】図４は実施例１の感光体ユニットの端部の斜視図である。
【図５】図５は実施例１の感光体ユニットの要部を上方から見た図である。
【発明を実施するための形態】
【００１２】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１３】
図１は実施例１の画像形成装置の説明図である。
図２は実施例１の画像形成装置の要部説明図である。
図１において、本発明の実施例１の画像形成装置の一例としての複写機Ｕは、装置の本体の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵＩが支持されている。前記ユーザインタフェースＵＩは、操作者が入力をして、複写機Ｕの操作が可能である。
【００１４】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧとの間には、原稿の搬送路Ｕ３ａに沿って、原稿の搬送ロールＵ３ｂが配置されている。
【００１５】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの右方には、撮像部材の一例としての撮像素子ＣＣＤが配置されている。撮像素子ＣＣＤには、画像処理部ＩＰＳが電気的に接続されている。
画像処理部ＩＰＳは、プリンタ部Ｕ１の書込回路ＤＬに電気的に接続されている。書込回路ＤＬは、潜像の形成装置の一例としてのＬＥＤヘッドＬＨｙ，ＬＨｍ，ＬＨｃ，ＬＨｋに電気的に接続されている。
【００１６】
各ＬＥＤヘッドＬＨｙ〜ＬＨｋの上方には、像保持体の一例としての感光体ドラムＰＲｙ，ＰＲｍ，ＰＲｃ，ＰＲｋが配置されている。
各感光体ドラムＰＲｙ〜ＰＲｋには、帯電器の一例としての帯電ロールＣＲｙ，ＣＲｍ，ＣＲｃ，ＣＲｋが対向して配置されている。前記帯電ロールＣＲｙ〜ＣＲｋには、電源回路Ｅから帯電電圧が印加される。なお、電源回路Ｅは、制御部の一例としてのコントローラＣにより制御される。前記コントローラＣは、画像処理部ＩＰＳや書込回路ＤＬ等との間でも信号の送受信を行って、各種制御を行う。
感光体ドラムＰＲｙ〜ＰＲｋの回転方向に対して、帯電ロールＣＲｙ〜ＣＲｋの下流側に設定された書込領域Ｑ１ｙ，Ｑ１ｍ，Ｑ１ｃ，Ｑ１ｋにおいて、感光体ドラムＰＲｙ〜ＰＲｋの表面に対して、ＬＥＤヘッドＬＨｙ〜ＬＨｋから書込光が照射される。
感光体ドラムＰＲｙ〜ＰＲｋの回転方向に対して、書込領域Ｑ１ｙ〜Ｑ１ｋの下流側に設定された現像領域Ｑ２ｙ，Ｑ２ｍ，Ｑ２ｃ，Ｑ２ｋには、現像装置Ｇｙ，Ｇｍ，Ｇｃ，Ｇｋが感光体ドラムＰＲｙ〜ＰＲｋの表面に対向して配置されている。
【００１７】
感光体ドラムＰＲｙ〜ＰＲｋの回転方向に対して、現像領域Ｑ２ｙ〜Ｑ２ｋの下流側には、１次転写領域Ｑ３ｙ，Ｑ３ｍ，Ｑ３ｃ，Ｑ３ｋが設定されている。１次転写領域Ｑ３ｙ〜Ｑ３ｋでは、中間転写体の一例としての中間転写ベルトＢに接触している。また、１次転写領域Ｑ３ｙ，Ｑ３ｍ，Ｑ３ｃ，Ｑ３ｋにおいて、中間転写ベルトＢを挟んで感光体ドラムＰＲｙ〜ＰＲｋの反対側には、１次転写器の一例としての１次転写ロールＴ１ｙ，Ｔ１ｍ，Ｔ１ｃ，Ｔ１ｋが配置されている。
感光体ドラムＰＲｙ〜ＰＲｋの回転方向に対して、１次転写領域Ｑ３ｙ〜Ｑ３ｋの下流側には、像保持体の清掃器の一例としてのドラムクリーナＣＬｙ，ＣＬｍ，ＣＬｃ，ＣＬｋが配置されている。
なお、実施例１では、感光体ドラムＰＲｙ〜ＰＲｋとドラムクリーナＣＬｙ〜ＣＬｋは、各色ごとに、像保持体ユニットの一例としての感光体ユニットとして、プリンタ部Ｕ１に対して一体的に着脱可能に構成されている。また、現像装置Ｇｙ〜Ｇｋも現像ユニットとして、プリンタ部Ｕ１に対して着脱可能に構成されている。
【００１８】
前記感光体ドラムＰＲｙ〜ＰＲｋの上方には、中間転写装置の一例としてのベルトモジュールＢＭが配置されている。前記ベルトモジュールＢＭは、前記中間転写ベルトＢを有する。中間転写ベルトＢは、駆動部材の一例としての駆動ロールＲｄと、張架部材の一例としてのテンションロールＲｔと、蛇行補正部材の一例としてのウォーキングロールＲｗ、従動部材の一例としてのアイドラロールＲｆ、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００１９】
中間転写ベルトＢを挟んでバックアップロールＴ２ａの反対側には、２次転写部材の一例としての２次転写ロールＴ２ｂが配置されている。前記バックアップロールＴ２ａと２次転写ロールＴ２ｂにより２次転写器Ｔ２が構成されている。また、２次転写ロールＴ２ｂと中間転写ベルトＢとが対向する領域により２次転写領域Ｑ４が形成される。
前記１次転写ロールＴ１ｙ〜Ｔ１ｋ、中間転写ベルトＢおよび２次転写器Ｔ２等により、感光体ドラムＰＲｙ〜ＰＲｋに形成された画像を媒体に転写する実施例１の転写装置Ｔ１＋Ｔ２＋Ｂが構成されている。
【００２０】
中間転写ベルトＢの回転方向に対して、２次転写領域Ｑ４の下流側には、中間転写体の清掃器の一例としてのベルトクリーナＣＬｂが配置されている。
前記ベルトモジュールＢＭの上方には、現像剤の収容容器の一例としてのカートリッジＫｙ，Ｋｍ，Ｋｃ，Ｋｋが配置されている。各カートリッジＫｙ〜Ｋｋには、現像装置Ｇｙ〜Ｇｋに補給される現像剤が収容されている。前記カートリッジＫｙ〜Ｋｋと現像装置Ｇｙ〜Ｇｋとの間は、図示しない現像剤の補給装置により接続されている。
【００２１】
プリンタ部Ｕ１の下部には、媒体の収容容器の一例としての給紙トレイＴＲ１〜ＴＲ３が配置されている。給紙トレイＴＲ１〜ＴＲ３は、案内部材の一例としてのガイドレールＧＲにより前後方向に着脱可能に支持されている。給紙トレイＴＲ１〜ＴＲ３には、媒体の一例としてのシートＳが収容されている。
給紙トレイＴＲ１〜ＴＲ３の左上方には、媒体の取出部材の一例としてのピックアップロールＲｐが配置されている。ピックアップロールＲｐの左方には、捌き部材の一例としての捌きロールＲｓが配置されている。
各給紙トレイＴＲ１〜ＴＲ３の左方には、上方に延びる媒体の搬送路ＳＨ１が形成されている。搬送路ＳＨ１には、媒体の搬送部材の一例としての搬送ロールＲａが複数配置されている。搬送路ＳＨ１には、シートＳの搬送方向の下流部であり且つ２次転写領域Ｑ４の上流側に、送出部材の一例としてのレジロールＲｒが配置されている。
【００２２】
２次転写領域Ｑ４の上方には、定着装置Ｆが配置されている。定着装置Ｆは、加熱部材の一例としての加熱ロールＦｈと、加圧部材の一例としての加圧ロールＦｐとを有する。加熱ロールＦｈと加圧ロールＦｐとの接触領域により、定着領域Ｑ５が構成されている。
定着装置Ｆの斜め上方には、媒体の搬送部材の一例としての排出ローラＲｈが配置されている。排出ローラＲｈの右方には、媒体の排出部の一例としての排出トレイＴＲｈが形成されている。
【００２３】
（画像形成動作の説明）
前記原稿トレイＴＧ１に収容された複数の原稿Ｇｉは、プラテンガラスＰＧ上の原稿の読み取り位置を順次通過して、原稿の排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉを露光する。
原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
【００２４】
原稿Ｇｉからの反射光は、読取り用の光学系Ａを通って、撮像素子ＣＣＤに集光される。前記撮像素子ＣＣＤは、撮像面上に集光された原稿の反射光が赤：Ｒ、緑：Ｇ、青：Ｂの電気信号に変換される。
画像処理部ＩＰＳは、撮像素子ＣＣＤから入力されるＲＧＢの電気信号を黒：Ｋ、イエロー：Ｙ、マゼンタ：Ｍ、シアン：Ｃの画像情報に変換して一時的に記憶する。画像処理部ＩＰＳは、一時的に記憶した画像情報を予め設定された時期に、潜像形成用の画像情報として書込回路ＤＬに出力する。
なお、原稿画像が単色画像、いわゆる、モノクロの場合は、黒：Ｋのみの画像情報が書込回路ＤＬに入力される。
【００２５】
前記書込回路ＤＬは、図示しない各色Ｙ，Ｍ，Ｃ，Ｋの各駆動回路を有し、入力された画像情報に応じた信号を予め設定された時期に、各色毎に配置されたＬＥＤヘッドＬＨｙ〜ＬＨｋに出力する。
各感光体ドラムＰＲｙ〜ＰＲｋの表面は、帯電ロールＣＲｙ〜ＣＲｋによりに帯電される。ＬＥＤヘッドＬＨｙ〜ＬＨｋは、書込領域Ｑ１ｙ〜Ｑ１ｋにおいて、感光体ドラムＰＲｙ〜ＰＲｋの表面に静電潜像を形成する。現像装置Ｇｙ〜Ｇｋは、現像領域Ｑ２ｙ〜Ｑ２ｋにおいて、感光体ドラムＰＲｙ〜ＰＲｋの表面の静電潜像を、可視像の一例としてのトナー像に現像する。現像装置Ｇｙ〜Ｇｋで現像剤が消費されると、消費量に応じて、各カートリッジＫｙ〜Ｋｋから各現像装置Ｇｙ〜Ｇｋに現像剤が補給される。
【００２６】
各感光体ドラムＰＲｙ〜ＰＲｋの表面のトナー像は、１次転写領域Ｑ３ｙ，Ｑ３ｍ，Ｑ３ｃ，Ｑ３ｋに搬送される。各１次転写ロールＴ１ｙ〜Ｔ１ｋには、電源回路Ｅから予め設定された時期にトナーの帯電極性と逆極性の１次転写電圧が印加される。したがって、１次転写領域Ｑ３ｙ〜Ｑ３ｋにおいて、１次転写電圧により、感光体ドラムＰＲｙ〜ＰＲｋのトナー像は、中間転写ベルトＢに順次重ねて転写される。なお、Ｋ色の単色の画像の場合は、Ｋ色のトナー像のみが、Ｋの感光体ドラムＰＲｋから中間転写ベルトＢに転写される。
【００２７】
前記各感光体ドラムＰＲｙ〜ＰＲｋ上のトナー像は、前記１次転写ロールＴ１ｙ，Ｔ１ｍ，Ｔ１ｃ，Ｔ１ｋにより、中間転写体の一例としての中間転写ベルトＢに１次転写される。１次転写後の感光体ドラムＰＲｙ〜ＰＲｋ表面の残留物、付着物は、ドラムクリーナＣＬｙ〜ＣＬｋで清掃される。清掃された感光体ドラムＰＲｙ〜ＰＲｋの表面は、帯電ロールＣＲｙ〜ＣＲｋで再帯電される。
【００２８】
前記各給紙トレイＴＲ１〜ＴＲ３のシートＳは、予め設定された給紙時期にピックアップロールＲｐにより取り出される。ピックアップロールＲｐで取り出されたシートＳは、複数枚のシートＳが重なった状態で取り出された場合には、捌きロールＲｓで１枚づつ分離される。捌きロールＲｓを通過したシートＳは、複数の搬送ロールＲａにより、レジロールＲｒに搬送される。
前記レジロールＲｒは、中間転写ベルトＢの表面のトナー像が２次転写領域Ｑ４に移動する時期に合わせて、シートＳを送り出す。
【００２９】
レジロールＲｒから送り出されたシートＳには、２次転写領域Ｑ４を通過する際に、２次転写ロールＴ２ｂに印加された２次転写電圧により、中間転写ベルトＢの表面のトナー像が転写される。
２次転写領域Ｑ４を通過後の中間転写ベルトＢの表面は、ベルトクリーナＣＬｂにより残留トナーが除去されて清掃される。
２次転写領域Ｑ４を通過したシートＳは、定着領域Ｑ５を通過する際に、定着装置Ｆによりトナー像が加熱および加圧されて定着される。
トナー像が定着された記録シートＳは、排出ローラＲｈで排出トレイＴＲｈに排出される。
【００３０】
（感光体ユニットの端部の説明）
図３は実施例１の像保持体、現像装置および清掃装置の要部説明図である。
図４は実施例１の感光体ユニットの端部の斜視図である。
図５は実施例１の感光体ユニットの要部を上方から見た図である。
次に、前記本発明の実施例１の感光体ドラムＰＲｙ〜ＰＲｋや現像装置Ｇｙ〜Ｇｋ、ドラムクリーナＣＬｙ〜ＣＬｋの説明をするが、各色の感光体ドラムＰＲｙ〜ＰＲｋ、現像装置Ｇｙ〜Ｇｋ、ドラムクリーナＣＬｙ〜ＣＬｋは同様に構成されているため、Ｙ色の感光体ドラムＰＲｙ、現像装置Ｇｙ、ドラムクリーナＣＬｙについてのみ詳細な説明をし、その他の色の部材については、詳細な説明を省略する。
【００３１】
図３〜図５において、実施例１の現像装置Ｇｙでは、現像剤保持体の一例としての現像ロール１を有する。現像ロール１は、表面に現像剤を保持して回転し、感光体ドラムＰＲｙに対向する現像領域Ｑ２ｙにおいて感光体ドラムＰＲｙの表面の潜像を可視像に現像する。
現像ロール１の軸方向の両端部には、間隔保持部材の一例としてのトラッキングロール２が支持されている。なお、図３〜図５では、前側のトラッキングロール２のみ図示し、後側のトラッキングロール２の図示は省略している。トラッキングロール２は、感光体ドラムＰＲｙの軸方向の両端部の被接触部３に接触している。トラッキングロール２の外径は、現像ロール１の外径よりも、感光体ドラムＰＲｙと現像ロール１との間隔に基づく長さに応じて、大きく形成されている。したがって、トラッキングロール２が被接触部３に突き当てられた状態で、感光体ドラムＰＲｙと現像ロール１との間隔が予め設定された間隔に保持される。
【００３２】
図３において、実施例１のドラムクリーナＣＬｙでは、清掃容器６を有する。清掃容器６は、前後方向に伸びており、感光体ドラムＰＲｙに対向して配置されている。清掃容器６の下端部の右側には、第２の清掃部材の一例としてのクリーニングブレード７が支持されている。クリーニングブレード７は、感光体ドラムＰＲｙの表面に接触して、感光体ドラムＰＲｙの表面に付着した現像剤や放電生成物等の清掃物を除去して、清掃容器６に回収する。
【００３３】
清掃容器６の左下端部には、回収物の搬送部材の一例としての回収オーガ８が配置されている。回収オーガ８は、清掃容器６に回収された清掃物を、図示しない回収容器に向けて搬送する。
図４において、清掃容器６の前後方向の両端部には、漏れ防止材の一例としての端部シール９が支持されている。なお、図４では、端部シール９は、前側のみ図示し、後側の図示は省略している。端部シール９は、清掃容器６に回収された現像剤が前後両端から漏れだすことを防止する。なお、端部シール９は、被接触部３に接触している。
【００３４】
図３〜図５において、清掃容器６の上端には、清掃部材の一例としての清掃フィルム１１が前後両端に支持されている。なお、図４、図５では、清掃フィルム１１は、前側のみ図示し、後側の図示は省略している。実施例１の清掃フィルム１１は、被接触部３に接触した状態で支持されている。なお、清掃フィルム１１は、フィルムの弾性力で、被接触部３に押し当てられている。図３に示すように、実施例１の清掃フィルムは、感光体ドラムＰＲｙの回転方向１２の上流側に向かう方向、いわゆるカウンター方向に接触している。
また、図５に示すように、実施例１の清掃フィルム１１は、先端部１１ａが、軸方向の内側に行くに連れて、感光体ドラムＰＲｙの回転方向１２の下流側に傾斜して形成されている。
【００３５】
（清掃フィルムの作用）
前記構成を備えた実施例１の複写機Ｕでは、トラッキングロール２が接触する被接触部３には、現像領域Ｑ２ｙや１次転写領域Ｑ３ｙ等で飛散、浮遊した現像剤や放電生成物が付着することがあった。清掃フィルム１１を有しない従来の構成では、端部シール９が被接触部３に接触していた。したがって、被接触部３に付着した現像剤が、被接触部３に擦り付けられて、固着する恐れがあった。被接触部３に現像剤が付着すると、実質的に被接触部３の外径が変化し、トラッキングロール２との接触時に、感光体ドラムＰＲｙと現像ロール１との間隔が経時的に変化する。したがって、現像条件が変動し、現像不良が発生する問題がある。
【００３６】
これに対して、実施例１では、清掃フィルム１１で、被接触部３に付着した現像剤等が除去される。したがって、被接触部３の表面に経時的に現像剤が堆積することが抑制される。よって、感光体ドラムＰＲｙと現像ロール１との間隔が長期に渡って変化しにくく、安定しやすい。したがって、現像不良の発生が長期に渡って抑制される。
さらに、実施例１では、清掃フィルム１１は、端部シール９よりも、感光体ドラムＰＲｙの回転方向の上流側で接触している。よって、被接触部３に付着した現像剤が、端部シール９で擦り付けられる前に、清掃フィルム１１で清掃される。したがって、清掃フィルム１１が端部シール９よりも下流側に配置される場合に比べて、現像剤の固着が抑制される。
【００３７】
また、実施例１では、清掃フィルム１１の先端部１１ａは、軸方向の内側に行くに連れて、感光体ドラムＰＲｙの回転方向１２の下流側に傾斜している。したがって、先端部１１ａで被接触部３から掻き取られた現像剤等は、感光体ドラムＰＲｙの回転に伴って、軸方向の内側に搬送される。清掃フィルム１１の軸方向の内側には、ドラムクリーナＣＬｙの清掃容器６が存在する。よって、被接触部３で掻き取られた現像剤等は、最終的に清掃容器６に回収される。仮に、先端部１１ａが、傾斜していない場合や、軸方向の外側に行くに連れて感光体ドラムＰＲｙの回転方向１２の下流側に傾斜している場合、掻き取られた現像剤が、複写機Ｕの内部に落下する恐れがある。したがって、複写機Ｕの内部を汚したり、印刷される画像や、電子機器類に悪影響をおよぼす恐れがある。これに対して、実施例１では、清掃フィルム１１で掻き取られた現像剤等は、清掃容器６に回収されており、複写機Ｕの内部を汚したりすることが抑制される。
【００３８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）前記実施例において、画像形成装置の一例としての複写機Ｕを例示したが、これに限定されず、例えば、プリンタ、ＦＡＸ、あるいはこれらの複数または全ての機能を有する複合機等により構成することも可能である。
（Ｈ02）前記実施例において、複写機Ｕは、４色の現像剤が使用される構成を例示したが、これに限定されず、例えば、単色の画像形成装置や、５色以上または３色以下の多色の画像形成装置にも適用可能である。
【００３９】
（Ｈ03）前記実施例において、像保持体ユニットとして、感光体ドラムＰＲｙとドラムクリーナＣＬｙとを有する構成を例示したが、これに限定されない。例えば、現像装置ＧｙやＬＥＤヘッドも一体的に交換可能なユニットとすることも可能である。また、プリンタ部Ｕ１に対して着脱可能な構成であることが好ましいが、着脱不能な構成とすることも可能である。
（Ｈ04）前記実施例において、清掃フィルム１１として、薄膜状の構成を例示したが、これに限定されない。例えば、板状のブレード形状としたり、刷毛状のブラシ状の形状としたり、発泡材料や布等が押し当てられたパッド形状としたり、ローラ形状とすることも可能である。
【００４０】
（Ｈ05）前記実施例において、清掃フィルム１１の先端部１１ａを、軸方向の内側に行くに連れて、感光体ドラムＰＲｙの回転方向１２の下流側に傾斜させることが好ましいが、これに限定されない。例えば、清掃フィルム１１が除去した現像剤等を回収する回収容器や、吸引して回収する回収装置等を設けた場合、先端部１１ａを傾斜させない構成とすることも可能である。
【符号の説明】
【００４１】
１…現像剤保持体、
２…間隔保持部材、
３…被接触部、
６…清掃容器、
７…第２の清掃部材、
１１…清掃部材、
１１ａ…被接触部に接触する部分、
Ｆ…定着装置、
Ｇｙ，Ｇｍ，Ｇｃ，Ｇｋ…着脱体、現像装置、
ＬＨｙ，ＬＨｍ，ＬＨｃ，ＬＨｋ…潜像の形成装置、
ＰＲｙ，ＰＲｍ，ＰＲｃ，ＰＲｋ…像保持体、
Ｓ…媒体、
Ｔ１＋Ｔ２＋Ｂ…転写装置、
Ｕ…画像形成装置。
【図１】
2016184046.tif 000003
【図２】
2016184046.tif 000004
【図３】
2016184046.tif 000005
【図４】
2016184046.tif 000006
【図５】
2016184046.tif 000007